(57)【特許請求の範囲】
【請求項１】
電池用開口部を設けた上板部を備え、発熱部材を内側に収納し、天井内に固定される器具本体と；
電池用開口部と同形状の開口部を有し電池体を収納可能で電池用開口部に対向し器具本体の上方に離間して固定される電池保持体と；
電池保持体を器具本体側に向かって締め付け固定する固定具と、電池保持体と器具本体との間に位置し固定具に装着されて離間寸法を確保するスペーサとを備え、電池保持体を器具本体の外側かつ器具本体から離間した位置に固定する固定手段と；
電池用開口部を開閉可能に覆って上板部に取り付けられる蓋体と；
蓋体に設けられ、所定の厚さ寸法を有するとともに、電池用開口部を挿通可能な形状をなし、電池保持体に収納された電池体に当接して保持する断熱材と；を備えた
ことを特徴とする照明器具。
【発明の詳細な説明】
【０００１】
【発明の属する技術分野】
本発明は、電池体を保持する電池取付装置を設けた照明器具に関する。
【０００２】
【従来の技術】
従来、例えば、非常時には内蔵した電池体の電力によりランプを点灯する非常用の照明器具において、電池体を保持する電池取付装置が用いられている。そして、この電池取付装置は、ランプおよび安定器などとともに器具本体の内側に収納され、器具本体にボルトなどにより取り付けられている。
【０００３】
ところで、非常用の照明器具に内蔵する電池体の劣化を抑制するためには、電池体の温度をできるだけ低く保つ必要がある。そこで、ランプなどからの熱による影響を低減するために、遮熱金具を用いた構成などが考えられている。
【０００４】
【発明が解決しようとする課題】
しかしながら、上記従来の構成においては、器具本体の内側には、安定器、ランプなどの発熱体が収納されており、これら発熱体から放射される熱により器具本体の内側の温度が高温になる場合には、電池体の温度を低く保つことが困難になる問題を有している。
【０００５】
本発明は、このような点に鑑みなされたもので、器具本体からの熱的影響を抑制できる電池取付装置を設けた照明器具を提供することを目的とする。
【０００６】
【課題を解決するための手段】
請求項１記載の照明器具は、電池用開口部を設けた上板部を備え、発熱部材を内側に収納し、天井内に固定される器具本体と；電池用開口部と同形状の開口部を有し電池体を収納可能で電池用開口部に対向し器具本体の上方に離間して固定される電池保持体と；電池保持体を器具本体側に向かって締め付け固定する固定具と、電池保持体と器具本体との間に位置し固定具に装着されて離間寸法を確保するスペーサとを備え、電池保持体を器具本体の外側かつ器具本体から離間した位置に固定する固定手段と；電池用開口部を開閉可能に覆って上板部に取り付けられる蓋体と；蓋体に設けられ、所定の厚さ寸法を有するとともに、電池用開口部を挿通可能な形状をなし、電池保持体に収納された電池体に当接して保持する断熱材と；を備えたものである。
【０００７】
そして、この構成では、電池体は、器具本体の外側に離間して配置される電池保持体により保持されるので、器具本体の内側に収納される発熱部材からの熱的影響が低減され、電池体の劣化が抑制される。そして、蓋体で電池用開口部を閉じた状態で、電池体に対する発熱部材の熱的影響が低減され、電池用開口部を開いた状態で、器具本体の内側から電池体の保守が可能になる。また、固定手段は、電池保持体を器具本体側に向かって締め付け固定する固定具と、これら電池保持体と器具本体との間に位置して離間寸法を確保するスペーサとを備えたため、固定手段の構造が簡略化され、また、固定手段を一般的な部材で構成することが可能になり、製造コストが低減される。
【０００８】
【発明の実施の形態】
以下、本発明の照明器具の一実施の形態を図面を参照して説明する。
【０００９】
図３および図４において、１は天井埋込型の非常用の照明器具で、この照明器具１は、常時には商用交流電源の供給する電力により動作するとともに、非常時には電池体Ｂの供給する電力により動作するようになっている。
【００１０】
そして、図１ないし図４において、11は被取付部材としての器具本体（シャーシ）で、この器具本体11は、上板部12と、一方の相対向する側板部14，14と、他方の相対向する側板部15，15とから、下面を照射開口16とする四角形枠状に形成されている。
【００１１】
そして、上板部12の下面すなわち器具本体11の内面には、一方の一側の側板部14の近傍に沿って、ソケット取付部21が設けられ、このソケット取付部21に、２対、合計４個のランプソケット22が取り付けられている。また、上板部12の下面には、他方の両側の側板部15の近傍に沿って、それぞれ発熱部材としての安定器24が取り付けられているとともに、これら安定器24の間に位置して、発熱部材としての点灯ユニット、端子台、引き紐を備えた点検スイッチ、および発光ダイオードを備えた充電モニタなどが取り付けられている。また、上板部12には、両側一対のボルト用取付孔が形成され、天井内に設けられた吊りボルトをこれらボルト用取付孔に挿入して下側からナットを締め付けることにより、器具本体11が天井内に固定される。さらに、上板部12には、電源用孔が形成され、天井内に配線された電源線がこの電源用孔から器具本体11の内部に導入され、端子台などに接続されるようになっている。また、各側板部14，15の上端部近傍には、所定の間隔でそれぞれ複数の放熱孔26が形成されている。
【００１２】
また、上板部12の下方には、化粧ねじにより、一対の反射体31が取り付けられている。そして、これら反射体31は、上面反射板部32と、この上面反射板部32の両側から下方に向かって拡開状に傾斜する傾斜反射板部33とを備え、それぞれ下面が反射面部となっている。
【００１３】
そして、各ランプソケット22には、それぞれ発熱部材としての蛍光ランプＦが装着されている。そして、各蛍光ランプＦは、発光管が略Ｕ字状などをなす片口金型で、消費電力は３６Ｗであり、発光管が反射体31の上面反射板部32の下面に対向するように配置されている。
【００１４】
また、この反射体31の下方には、平面略格子状をなすアルミ製のルーバ35が配置され、このルーバ35は、いわゆるＶばね（取付ばね）37により照射開口16の縁部に取り付けられる枠体38により保持されている。
【００１５】
さらに、器具本体11の上板部12には、安定器24および点灯ユニットなどから離間した位置に、電池体Ｂを保持する電池取付装置41が設けられている。
【００１６】
次に、図１および図２を参照して、この電池取付装置41について説明する。
【００１７】
まず、電池体Ｂは、例えば、複数個の略円柱形状の電池体をプラスチックフィルムで外装したいわゆる電池パックの蓄電池となっており、全体として、両端部が曲面状をなす略直方体形状になっている。また、この電池体Ｂからはリード線B1が導出され、このリード線B1の先端部に備えたコネクタB2が、点灯ユニットなどに接続され、電力を供給するようになっている。
【００１８】
そして、この電池体Ｂは、電池保持体43に収納されている。この電池保持体43は、電池体Ｂを収納可能な略長方形箱状をなし、下面に開口部44が設けられている。また、この電池保持体43の長手方向の両端部の下端の縁部からは、それぞれ取付片部45，45が突設され、これら取付片部45，45には、それぞれ一対のねじ孔46が形成されている。
【００１９】
また、器具本体11の上板部12には、電池保持体43の開口部44と同形状の角孔の電池用開口部51が形成されているとともに、この電池用開口部51の長手方向の両端部近傍に位置して、電池保持体43の各ねじ孔46に対向する通孔52が形成されている。さらに、この上板部12には、電池用開口部51の両側方に位置して、それぞれねじ係止部54が形成され、これらねじ係止部54に、それぞれ上方からカバー用ねじ55が挿入して係止されている。また、各ねじ係止部54は、上板部12を下方に傾斜して相対向して切り起こし形成された係止片57，57からなり、これら係止片57，57の間に、圧入されたカバー用ねじ55を挟持して保持するようになっている。
【００２０】
そして、電池保持体43は、開口部44を電池用開口部51の上方に臨ませた状態で、各通孔52に下側から挿入された固定具としてのねじ61をねじ孔46に螺合して固定されている。さらに、各ねじ61には、それぞれプラスチックなどの熱伝導率の低い材質からなり円筒状をなすスペーサ62が装着され、これらスペーサ62が取付片部45と上板部12とに当接することにより、電池保持体43が所定の距離（空間距離）Ａだけ器具本体11から離間した状態で固定されている。
【００２１】
また、上板部12の電池用開口部51は、蓋体64により着脱可能に覆われている。そして、この蓋体64は、金属板などからなるカバー65と、このカバー65の上面に接着などして配置された断熱材66となどから構成されている。そして、カバー65は、略矩形平板状をなし、幅寸法が電池用開口部51より大きく、両側部近傍にそれぞれ設けた通孔67，67に上側からカバー用ねじ55を挿入し、このカバー用ねじ55の下側から蝶ねじ68を螺合して締め付けることにより、蓋体64が電池用開口部51を覆って上板部12に取り付けられる。また、断熱材は、所定の厚さ寸法を有するとともに、電池用開口部51を挿通可能な平面形状をなし、蓋体64で電池用開口部51を閉じた状態で、電池保持体43に収納された電池体Ｂに当接して保持するようになっている。
【００２２】
一方、蝶ねじ68を緩めて外すことにより、蓋体64は上板部12から容易に取り外され、電池用開口部51を介して、電池体Ｂの交換、点検などの保守作業を行えるようになっている。
【００２３】
そして、本実施の形態によれば、器具本体11の内側から発生する熱の伝路である熱伝導と熱放射とを遮断することができ、電池保持体43内に収納した電池体Ｂの温度上昇を防ぎ、電池体Ｂの性能を保持することができる。
【００２４】
すなわち、電池体Ｂを収納保持する電池保持体43を、蛍光ランプＬや安定器24などの発する熱により高温となる器具本体11の外部に配置するのみならず、電池保持体43は、スペーサ62を介して器具本体11から離間した状態で保持したため、器具本体11から伝導する熱を、スペーサ62および器具本体11と電池保持体43との間の空間により遮断することができる。また、電池用開口部51を密閉に近い状態で覆うカバー65を設けるとともに、このカバー65と電池体Ｂとの間に断熱材66を配置したため、器具本体11内側の放射熱を遮断し熱気が電池体Ｂに触れることを抑制できる。さらに、電池体Ｂに僅かに伝わった熱も、器具本体11と電池保持体43との間の空間により、電池保持体43および器具本体11の外部に放出することができる。
【００２５】
また、電池保持体43を器具本体11から離間した状態に保持する固定手段は、一般的なねじ61およびスペーサ62にて形成できるため、製造コストを低減することができる。さらに、断熱材66は、電池体Ｂを保持する部材を兼ねるため、部品点数を削減し、製造コストを低減することができる。
【００２６】
【発明の効果】
請求項１記載の照明器具によれば、器具本体の内側から発生する熱の伝路である熱伝導と熱放射とを遮断することができ、電池保持体内に収納した電池体の温度上昇を防ぎ、電池体の性能を保持することができる。すなわち、電池体を収納保持する電池保持体を、発熱部材の発する熱により高温となる器具本体の外部に配置するのみならず、電池保持体は、固定手段を介して器具本体から離間した状態で保持したため、器具本体から伝導する熱を、固定手段および器具本体と電池保持体との間の空間により遮断することができる。また、電池用開口部を覆う蓋体を設けるとともに、この蓋体に電池体に当接して保持する断熱材を配置したため、器具本体内側の放射熱を遮断し熱気が電池体に触れることを抑制できる。さらに、電池体に僅かに伝わった熱も、器具本体と電池保持体との間の空間により、電池保持体および器具本体の外部に放出することができる。また、電池保持体を器具本体から離間した状態に保持する固定手段は、一般的な部材にて形成できるため、製造コストを低減することができる。さらに、断熱材は、電池体を保持する部材を兼ねるため、部品点数を削減し、製造コストを低減することができる。
【図面の簡単な説明】
【図１】本発明の電池取付装置の一実施の形態を示す断面図である。
【図２】同上電池取付装置の分解斜視図である。
【図３】同上電池取付装置を備えた照明器具の一部を切り欠いた側面図である。
【図４】同上照明器具の側面図である。
【符号の説明】
１ 照明器具
11    器具本体
12 上板部
24    発熱部材としての安定器
41    電池取付装置
43    電池保持体
44 開口部
51    電池用開口部
61    固定具としてのねじ
62    スペーサ
64    蓋体
66 断熱材
Ｂ    電池体
Ｆ    発熱部材としての蛍光ランプ
【図１】
0003624923.tif 000002
【図２】
0003624923.tif 000003
【図３】
0003624923.tif 000004
【図４】
0003624923.tif 000005